(57)【特許請求の範囲】
【請求項１】
電子ビームを用いて、測長対象内の同一直線上に並ぶ直線部分を有する所定の測長部分を測長する電子ビーム測長装置であって、
前記電子ビームを発生する電子銃と、
前記電子ビームを所定の焦点位置に結ぶ電子レンズと、
前記電子ビームを偏向する偏向部と、
前記測長対象を載置可能な測長対象保持部と、
前記電子ビームに起因して飛散する電子を検出する検出器と、
前記測長対象内の所定の部分が存在すべき設計位置に関する設計位置情報を記憶する記憶部と、
前記設計位置情報に基づいて、前記偏向部により前記電子ビームを走査する焦点検出走査制御部と、
前記測長対象の位置と前記電子レンズの焦点位置との相対位置を変化させつつ、前記相対位置のそれぞれにおいて、前記焦点検出走査制御部により前記電子ビームを走査させることにより前記検出器から逐次検出される前記電子の変化状況に基づいて、前記電子レンズの焦点位置を前記測長対象に合わせる合焦制御部と、
前記電子レンズの焦点位置を前記測長対象に合わせた後において、前記設計位置情報に基づいて、前記直線部分に略垂直に電子ビームが２ヶ所以上照射されるように走査するアライメント走査制御部と、
前記アライメント走査制御部により前記電子ビームが走査された際に前記検出器から検出される電子の変化状況に基づいて、前記直線部分に略平行な方向に前記電子ビームが走査されるように前記偏向部を調整するアライメント部と、
前記設計位置情報に基づいて、調整された前記偏向部により前記所定の測長部分が存在すべき前記設計位置に前記電子ビームが照射されるように前記電子ビームを走査する測長走査制御部と、
前記測長走査制御部により前記電子ビームが走査されている際に、前記検出器により逐次検出される電子の変化状況に基づいて、前記測長部分の長さを測定する測長部と
を有することを特徴とする電子ビーム測長装置。
【請求項２】
前記測長対象保持部は、前記測長対象を移動することができ、
前記合焦制御部は、前記測長対象保持部を前記電子レンズの光軸と平行な方向に移動させることにより前記電子レンズの前記焦点位置を前記測長対象に合わせることを特徴とする請求項１に記載の電子ビーム測長装置。
【請求項３】
前記電子レンズは、前記焦点位置を調整可能であり、
前記合焦制御部は、前記電子レンズの前記焦点位置を移動させることにより前記電子レンズの前記焦点位置を前記測長対象に合わせることを特徴とする請求項１に記載の電子ビーム測長装置。
【請求項４】
前記合焦制御部は、前記検出器から逐次検出される複数の２次電子量の変化状況の中で、２次電子の変化の立ち上がりが最も鋭い２次電子量の変化状況を検出した場合における測長対象の位置を、前記電子レンズの焦点が合っているとする請求項１から３のいずれかに記載の電子ビーム測長装置。
【請求項５】
電子ビームを用いて、測長対象内の同一直線上に並ぶ直線部分を有する所定の測長部分を測長する測長方法であって、
前記測長対象の位置と電子レンズの焦点位置との相対位置を変化させつつ、前記相対位置のそれぞれにおいて、前記測長対象内の所定の部分が存在すべき設計位置に関する設計位置情報に基づいて、前記電子ビームを走査する焦点検出走査ステップと、
前記焦点検出走査ステップで前記電子ビームが走査させることにより逐次検出される前記電子の変化状況に基づいて、前記電子レンズの焦点位置を前記測長対象に合わせる合焦ステップと、
前記合焦ステップで、前記電子レンズの焦点位置を前記測長対象に合わせた後において、前記設計位置情報に基づいて、前記直線部分に略垂直に電子ビームが２ヶ所以上照射されるように走査するアライメント走査ステップと、
前記アライメント走査ステップにより前記電子ビームが走査された際に検出される電子の変化状況に基づいて、前記直線部分に略平行な方向に前記電子ビームが走査されるように前記測長対象に対する前記電子ビームの走査状況を調整するアライメントステップと、
前記設計位置情報に基づいて、所定の前記測長部分が存在すべき前記設計位置に前記電子ビームが照射されるように前記電子ビームを走査する測長走査ステップと、
前記測長走査ステップで前記電子ビームが走査されている際に、逐次検出される電子の変化状況に基づいて、前記測長部分の長さを測定する測長ステップと
を有することを特徴とする測長方法。
【発明の詳細な説明】
【技術分野】
【０００１】
本発明は、電子ビームを用いて、測長対象内の所定の部分を測長する電子ビーム測長装置及び測長方法に関する。
【背景技術】
【０００２】
従来、従来、所定の測長対象を光学顕微鏡によって観測し、観測像に基づいて、測長対象内の所定の部分の長さを測長する光学式測長装置が知られている。この光学式測長装置において、例えば、ＧＭＲ（Giant Magneto Resistive:巨大磁気抵抗効果）ヘッド素子を測長対象とする場合がある。
【０００３】
図１は、ＧＭＲヘッド素子の一例の概略構成図である。ＧＭＲヘッド素子は、図1に示すように、磁気記録媒体に情報を記録する書き込み用磁極２００と、磁気記録媒体に記録された情報を読み取る読み取りセンサ２０６と、上部シールド層２０２と、下部シールド層２０４とを有する。ＧＭＲヘッド素子を測長対象とする場合には、書き込み用磁極２００の幅の長さや、読み取りセンサ２０６の幅の長さや、書き込み用磁極２００と読み取りセンサ２０６との相対位置に関する長さ等が計測される。
【０００４】
近年、ＧＭＲヘッド素子における磁極等が微細化されており、光学式測長装置では、測長できないようになってきている。そこで、電子ビームを利用して測長を行う電子ビーム測長装置が注目されている。
【０００５】
図２は、従来の電子ビーム測長装置におけるファインアライメント、測長及びフォーカス解析を説明する図である。ここで、ファインアライメントとは、電子ビームが所定の測長対象に適切に照射されるように調整することをいう。
【０００６】
従来の電子ビーム測長装置においては、図２（ａ）に示すように、測長対象に対して、予め設定されている複数位置（図では、５２５の位置）のそれぞれにおいて、複数回（図では６４回）ずつ電子ビームを走査させ、この際に検出される２次電子の像や、一の位置において電子ビームを走査させることにより検出される２次電子量及び反射電子量の変化状況、いわゆるラインプロファイルに基づいて、ファインアライメントや所定の部分の測長を行っている。
【０００７】
また、従来の電子ビーム測長装置においては、図２（ｂ）に示すように、測長対象に対するフォーカス位置を複数（図では、４回）調整させ、調整したそれぞれの測長対象に対するフォーカス位置において、測長対象に対して予め設定されている複数位置（図では、５２５の位置）で、複数回（図では６４回）ずつ電子ビームを走査させ、各測長対象に対するフォーカス位置において検出される各２次電子像のコントラストに基づいて、フォーカスを解析している。
【発明の概要】
【発明が解決しようとする課題】
【０００８】
電子ビーム測長装置にたいしては、測長対象の所定の部分を高精度且つ迅速に測長することが要請されている。また、電子ビームが測長対象に照射されると測長対象を汚してしまう恐れがあり、測長対象にできるだけ汚れが発生しないようにすることが要請されている。そこで、本発明は、上記の課題を解決することのできる電子ビーム測長装置及び測長方法を提供することを目的とする。この目的は特許請求の範囲における独立項に記載の特徴の組み合わせにより達成される。また従属項は本発明の更なる有利な具体例を規定する。
【課題を解決するための手段】
【０００９】
上記目的を達成するために、本発明の第１の形態に係る電子ビーム測長装置は、電子ビームを用いて、測長対象内の所定の測長部分を測長する電子ビーム測長装置であって、電子ビームを発生する電子銃と、電子ビームを偏向する偏向部と、測長対象を載置可能な測長対象保持部と、電子ビームに起因して飛散する電子を検出する検出器と、測長対象内の所定の測長部分が存在すべき設計位置を特定する設計位置情報を記憶する記憶部と、設計位置情報に基づいて、偏向部により前記所定の測長部分が存在すべき設計位置に電子ビームが照射されるように電子ビームを走査する測長走査制御部と、走査制御部により電子ビームが走査されている際に、検出器により逐次検出される電子の変化状況に基づいて、測長部分の長さを測る測長部とを有することを特徴とする。
【００１０】
上記目的を達成するために、本発明の第２の形態に係る電子ビーム測長装置は、電子ビームを用いて、測長対象内の所定の測長部分を測長する電子ビーム測長装置であって、電子ビームを発生する電子銃と、電子ビームを偏向する偏向部と、測長対象を載置可能な測長対象保持部と、電子ビームに起因して飛散する電子を検出する検出器と、測長対象内の所定の部分が存在すべき設計位置に関する設計位置情報を記憶する記憶部と、設計位置情報に基づいて、所定の部分が存在すべき設計位置の少なくとも２ヶ所以上において電子ビームが照射されるように電子ビームを走査するアライメント走査制御部と、アライメント走査制御部により電子ビームが走査された際に検出部から検出される電子の変化状況に基づいて、偏向部により測長対象に対する電子ビームの走査位置、又は、走査方向の少なくとも一方を調整するアライメント部と、偏向部により所定の測長部分に電子ビームが照射されるように電子ビームを走査する測長走査制御部と、測長走査制御部により電子ビームが走査されている際に、検出器により逐次検出される電子の変化状況に基づいて、測長部分の長さを測る測長部とを有することを特徴とする。
【００１１】
測長対象は、部分の中に、同一直線上に並ぶ直線部分を有し、アライメント走査制御部は、直線部分に略垂直に電子ビームを２カ所以上走査し、アライメント部は、直線部分に略平行な方向に電子ビームが走査されるように偏向部を調整し、測長走査制御部は、調整された偏向部により所定の測長部分に電子ビームが照射されるように前記電子ビームを走査するようにしてもよい。記憶部は、設計位置情報として、直線部分と測長部分との直線部分に略垂直な方向についての相対位置を記憶し、測長走査制御部は、設計位置情報に基づいて、電子ビームを走査するようにしてもよい。
【００１２】
上記目的を達成するために、本発明の第３の形態に係る電子ビーム測長装置は、電子ビームを用いて、測長対象内の所定の測長部分を測長する電子ビーム測長装置であって、電子ビームを発生する電子銃と、電子ビームを所定の焦点位置に結ぶ電子レンズと、電子ビームを偏向する偏向部と、測長対象を載置可能な測長対象保持部と、電子ビームに起因して飛散する電子を検出する検出器と、測長対象内の所定の部分が存在すべき設計位置に関する設計位置情報を記憶する記憶部と、設計位置情報に基づいて、偏向部により電子ビームを走査する焦点検出走査制御部と、測長対象の位置と電子レンズの焦点位置との相対位置を複数調整し、相対位置のそれぞれにおいて、焦点検出走査制御部により電子ビームを走査させることにより検出器から逐次検出される電子の変化状況に基づいて、電子レンズの焦点位置を測長対象に合わせる合焦制御部と、電子レンズの焦点位置を測長対象に合わせた後において、測長対象の所定の測長部分に電子ビームが照射されるように電子ビームを走査する測長走査制御部と、測長走査制御部により電子ビームが走査されている際に、検出器により逐次検出される電子の変化状況に基づいて、測長部分の長さを測定する測長部とを有することを特徴とする。
【００１３】
測長対象保持部は、測長対象を移動することができ、合焦制御部は、測長対象保持部を電子レンズの光軸と平行な方向に移動させることにより電子レンズの焦点位置を測長対象に合わせるようにしてもよい。電子レンズは、焦点位置を調整可能であり合焦制御部は、電子レンズの焦点位置を移動させることにより電子レンズの焦点位置を測長対象に合わせることを特徴とする。
【００１４】
上記目的を達成するために、本発明の第４の形態に係る測長方法は、電子ビームを用いて、測長対象内の所定の測長部分を測長する測長方法であって、測長対象内の所定の測長部分が存在すべき設計位置を特定する設計位置情報に基づいて、所定の測長部分が存在すべき設計位置に前記電子ビームが照射されるように電子ビームを走査する測長走査ステップと、測長走査テップで電子ビームが走査されている際に、逐次検出される電子の変化状況に基づいて、測長部分の長さを測る測長ステップとを有することを特徴とする。
【００１５】
上記目的を達成するために、本発明の第５の形態に係る測長方法は、電子ビームを用いて、測長対象内の所定の測長部分を測長する測長方法であって、測長対象内の所定の部分が存在すべき設計位置を特定する設計位置情報に基づいて、所定の部分が存在すべき設計位置の少なくとも２ヶ所以上において電子ビームが照射されるように電子ビームを走査するアライメント走査ステップと、アライメント走査ステップで電子ビームが走査された際に検出される電子の変化状況に基づいて、測長対象に対する電子ビームの走査状況を調整するアライメントステップと、所定の測長部分に電子ビームが照射されるように電子ビームを走査する測長走査ステップと、測長走査ステップで電子ビームが走査されている際に、逐次検出される電子の変化状況に基づいて、測長部分の長さを測る測長ステップとを有することを特徴とする。
【００１６】
上記目的を達成するために、本発明の第６の形態に係る測長方法は、電子ビームを用いて、測長対象内の所定の測長部分を測長する測長方法であって、電子ビームを用いて、測長対象内の所定の測長部分を測長する測長方法であって、測長対象の位置と電子レンズの焦点位置との相対位置を変化させつつ、相対位置のそれぞれにおいて、測長対象内の所定の部分が存在すべき設計位置に関する設計位置情報に基づいて、電子ビームを走査する焦点検出走査ステップと、焦点検出ステップで電子ビームが走査させることにより逐次検出される前記電子の変化状況に基づいて、電子レンズの焦点位置を測長対象に合わせる合焦ステップと、合焦ステップで、電子レンズの焦点位置を測長対象に合わせた後において、測長対象の所定の測長部分に電子ビームが照射されるように電子ビームを走査する測長走査ステップと、測長走査ステップで電子ビームが走査されている際に、逐次検出される電子の変化状況に基づいて、測長部分の長さを測定する測長ステップとを有することを特徴とする。なお、上記の発明の概要は、本発明の必要な特徴の全てを列挙したものではなく、これらの特徴群のサブコンビネーションも又発明となりうる。
【図面の簡単な説明】
【００１７】
【図１】ＧＭＲヘッド素子の一例の概略構成図である。
【図２】従来の電子ビーム測長装置におけるファインアライメント、測長及びフォーカス解析を説明する図である。
【図３】本発明の１実施形態に係る電子ビーム測長装置の構成を示す図である。
【図４】本発明の１実施形態に係る電子ビーム測長装置における動作を説明するフローチャートである。
【図５】本発明の１実施形態に係る電子ビーム測長装置におけるファインアライメント、測長及びフォーカス解析を説明する図である。
【発明を実施するための形態】
【００１８】
以下、発明の実施の形態を通じて本発明を説明するが、以下の実施形態は特許請求の範囲に係る発明を限定するものではなく、又実施形態の中で説明されている特徴の組み合わせの全てが発明の解決手段に必須であるとは限らない。図１は、本発明の第１実施形態に係る電子ビーム測長装置の構成を示す図である。本電子ビーム測長装置は、例えば、測長対象の一例としてのＧＭＲヘッド素子の所定の部分を測長する電子ビーム測長装置である。なお、図中に示すようにＸ、Ｙ、及びＺ軸をとるものとする。
【００１９】
ここで、測長対象としては、例えば、ＩＣ（Integrated Circuit）やＬＳＩ（Large‐Scale Integrated circuit）のような能動素子から成る半導体部品のみならず、受動素子、各種センサー等の部品であってもよく、更に、これら部品を結合して一つのパッケージに収めた部品や、これら部品をプリント基板に装着して所定の機能を実現したブレッドボード等の部品であってもよい。また、ＧＭＲヘッド素子のように磁界によって破損する恐れのある部品であってもよい。
【００２０】
電子ビーム測長装置１００は、電子ビーム鏡筒１０２と、真空チャンバ１０４と、アンプ３８と、アナログ・デジタル変換器（Ａ／Ｄ変換器）４０と、記憶部５０と、制御部５２と、分析電圧印加部４２と、受付部７０と、キーボード７２と、マウス７４と、表示装置７６とを有する。電子ビーム鏡筒１０２は、電子銃１６と、電子レンズ１８と、偏向板２０と、チョッピングアパーチャ２２と、電子レンズ２４と、偏向部の一例としての偏向器２６と、非点補正レンズ２８と、対物レンズ３０と、エネルギーフィルタ３４と、検出器３６とを有する。ここで、電子レンズ１８と、偏向板２０と、電子レンズ２４と、偏向器２６と、非点補正レンズ２８と、レンズ３０とのそれぞれは、磁界又は電界のいずれを利用するものであってもよい。本実施形態では、ＧＭＲヘッド素子のような磁界によって破損する部品を測長対象としているので、レンズ３０と、電子レンズ１８と、偏向板２０と、電子レンズ２４と、偏向器２６と、非点補正レンズ２８とのそれぞれは、電界を利用するものが好ましい。
【００２１】
真空チャンバ１０４は、測長対象保持部の一例としてのステージ１４と、光学顕微鏡４８とを有する。ステージ１４は、測長対象１２を着脱可能に保持する。ステージ１４は、真空チャンバ１０４内においてＸ軸方向、Ｙ軸方向、及びＺ軸方向に移動できるようになっている。本実施形態では、ステージ１４は、測長対象１２を複数有する試料基板を着脱可能に保持する。ここで、試料基板とは、本実施形態では、複数の測長対象１２が形成されたウェハから切り出された、複数の測長対象１２を有するいわゆるバー（ＢＡＲ）である。光学顕微鏡４８は、観察視野内の像を取り込んで制御部５２に入力する。本実施形態では、光学顕微鏡４８は、グローバルアライメントを行う際において、観察視野内の像を取り込んで制御部５２に入力する。
【００２２】
電子ビーム測長装置において、電子銃１６から電子ビームＥＢが照射される。電子銃１６から照射された電子ビームＥＢは、電子レンズ１８により所定の調整が行われ、成形アパーチャ２２が有する開口により所定の形状に成形される。
【００２３】
偏向器２６は、電子ビームＥＢを偏向して、当該電子ビームが照射される位置を変更する。非点補正レンズ２８は、電子ビームＥＢに発生する非点収差を補正する。電子ビームＥＢが測長対象１２又は基準基板１３に照射されることにより発生する２次電子は、エネルギーフィルタ３４を介して検出器３６により逐次検出される。検出器３６は、検出した２次電子の量（２次電子量）をアンプ３８に入力する。
【００２４】
アンプ３８は、入力された２次電子量を増幅してＡ／Ｄ変換器４０に入力する。Ａ／Ｄ変換器４０は、アンプ３８から入力された２次電子量をデジタル信号に変換して、制御部５２に入力する。分析電圧印加部４２は、制御部５２の制御に基づいて、エネルギーフィルタ３４に分析電圧を印加する。
【００２５】
記憶部５０は、電子ビームの走査における時間と長さとの対応関係、例えば、走査における時間から長さを検出するためのを記憶する。また、記憶部５０は、測長対象１２内の部分の設計位置を特定する設計位置情報を記憶する。本実施形態では、記憶部５０は、設計対象１２内に形成された書き込み用磁極、読み取りセンサ、上部シールド層、及び下部シールド層の設計位置を特定する設計位置情報、具体的には、例えば、書き込み用磁極の幅や、読み取りセンサの幅や、書き込み用磁極と読み取りセンサとの相対位置、下部シールド層と書き込み用磁極との下部シールド層に垂直な方向の相対位置等を記憶する。
【００２６】
制御部５２は、アライメント走査制御部及びアライメント部の一例としてのアライメント制御部５４と、焦点検出走査制御部及び合焦制御部の一例としてのフォーカス制御部５６と、測長走査制御部及び測長部の一例としての測長制御部５８と、表示制御部６０と、ステージ制御部６２とを有する。アライメント制御部５４は、光学顕微鏡４８から入力された像に基づいて、測長対象１２を電子銃１６による電子ビームを照射可能な範囲に移動させることができるように、各種調整、すなわち、グローバルアライメントを行う。本実施形態では、バーにおける各測長対象１２の位置をステージ１４の座標系に合わせる調整を行う。
【００２７】
また、アライメント制御部５４は、その後、電子レンズ系１８、２４、３０のフォーカス調整が行われた後に、ローカルアライメント（ファインアライメント）を行う。すなわち、アライメント制御部５４は、設計位置情報に基づいて、所定の部分が存在すべき設計位置の少なくとも２ヶ所以上において電子ビームが照射されるように電子ビームを走査する。本実施形態では、アライメント制御部５４は、測長対象１２内の一直線上に並ぶ直線部分の一例としての下部シールド層の２ヵ所にほぼ垂直に電子ビームを照射する。
【００２８】
また、アライメント制御部５４は、検出器３６から検出される２次電子の変化状況に基づいて、所定の基準に対するＸ軸方向のずれ量、Ｙ軸方向のずれ量、回転量等を検出し、当該ずれ量等に基づいて、電子ビームの走査状況、例えば、走査方向、走査位置等の調整を行う。本実施形態では、アライメント制御部５４は、２ヵ所において電子ビームを照射することにより検出器３６から検出される２次電子の変化状況に基づいて、下部シールド層の２点を検出し、当該２点を結ぶ線と電子ビームの走査方向が平行になるように、偏向器２６による偏向の調整を行う。
【００２９】
フォーカス制御部５６は、グローバルアライメントした後に、ステージ制御部６２により、電子ビームを照射可能な所定の位置にくるように測長対象１２を移動させる。フォーカス制御部５６は、ステージ制御部６２によりステージ１４の高さを変えることにより、測長対象１２の位置と電子レンズ系１８、２４、３０の焦点位置との相対位置をかえる。また、フォーカス制御部５８は、ステージ１４のそれぞれの高さ位置において、設計位置情報に基づいて電子ビームを走査させることにより検出器３６から逐次検出される２次電子の変化状況を検出する。本実施形態では、フォーカス制御部５６は、設計位置情報に基づいて、例えば書き込み用磁極や、下部シールド層等の部分の１ヵ所又は数ヵ所に電子ビームが照射されるように走査する。ここで、長さが比較的長い部分に、設計位置に基づいて電子ビームを照射するようにすると、ほとんどの場合において当該部分に電子ビームが照射されることになるので好ましい。
【００３０】
また、フォーカス制御部５６は、逐次検出された複数の電子の変化状況に基づいて、電子レンズ系１８、２４、３０の焦点が測長対象１２に合っている際における測長対象１２のＺ軸における位置を検出する。本実施形態では、複数の２次電子量の変化状況の中で、２次電子の変化のたち上がりが最も鋭い２次電子量の変化状況を検出した場合における測長対象１２の位置をレンズ系１８、２４、３０の焦点が合っている位置として検出する。また、フォーカス制御部５６は、電子レンズ系１８、２４、３０の焦点が測定対象１２に合うように、ステージ制御部６２に測定対象１２のＺ軸方向の高さを調整させる。
【００３１】
測長制御部５８は、ローカルアライメント終了後に、設計位置情報に基づいて、偏向器２６により測長対象１２の測長部分が存在すべき設計位置又は設計位置の近傍の少なくとも一方に電子ビームが照射されるように電子ビームを走査する。本実施形態においては、測長制御部５８は、ローカルアライメントにより検出した下部シールド層の２点を結ぶ直線から記憶部５０に記憶された下部シールド層と書き込み磁極との下部シールド層に垂直な方向の相対位置だけずれた位置に電子ビームが照射されるように電子ビームを走査する。これによって、適切に書き込み磁極に電子ビームを照射することができる。
【００３２】
また、測長制御部５８は、電子ビームを走査している際に、検出器３６により逐次検出される電子の変化状況に基づいて、測長対象１２の所定の測長部分に電子ビームが照射されている時間を検出し、記憶部５０に記憶されている対応関係に基づいて、当該検出した時間に対応する長さを検出する。本実施形態では、これによって、書き込み磁極における下部シールド層と平行な方向の幅を検出することができる。
【００３３】
表示制御部６０は、測長制御部５８により検出された測長対象の部分の長さを表示装置７６に表示させる。ステージ制御部６２は、ステージ１４をＸ−Ｙ変面内において移動させる。例えば、ステージ制御部６２は、ステージ１４に載置された測長対象１２が光学顕微鏡４８の観察視野内に位置するようにステージ１４を移動させる。また、ステージ制御部６２は、測長対象１２が電子ビームが照射されるようにステージ１４を移動させる。また、ステージ制御部６２は、ステージ１４をＺ軸方向に移動させる。受付部７０は、キーボード７２またはマウス７４によるユーザからの指示を受け付ける。
【００３４】
図４は、本発明の１実施形態に係る電子ビーム測長装置における動作を説明するフローチャートである。電子ビーム測長装置において、ステージ制御部６２が、ステージ１４に載置された測長対象１２が光学顕微鏡４８の観察視野内に位置するようにステージ１４を移動させる。次いで、光学顕微鏡４８が観察視野内の測長対象１２の像を取り込んで制御部５２に入力する。アライメント制御部５４は、光学顕微鏡４８から入力された測長対象１２の像に基づいて、測長対象１２を電子銃１６による電子ビームを照射可能な範囲に移動させることができるように、グローバルアライメントを行う（ステップＳ１００）。
【００３５】
次いで、フォーカス制御部５６が、ステージ制御部６２により、電子ビームを照射可能な所定の位置にくるように測長対象１２を移動させ、ステージ制御部６２によりステージ１４の高さを変えることにより、測長対象１２の位置と、電子レンズ系１８、２４、３０の焦点位置との相対位置をかえる。これとともに、フォーカス制御部５８は、ステージ１４のそれぞれの高さ位置において、設計位置情報に基づいて、例えば書き込み用磁極や、下部シールド層等の１ヵ所又は数ヵ所に電子ビームが照射されるように走査する（ステップＳ１０２）。
【００３６】
そして、フォーカス制御部５６は、逐次検出された複数の電子の変化状況に基づいて、電子レンズ系１８、２４、３０の焦点が測長対象１２に合っている際における測長対象１２のＺ軸における位置を検出し、ステージ制御部６２により測定対象１２のＺ軸方向の高さを当該位置に調整させる（ステップＳ１０４）。
【００３７】
次いで、アライメント制御部５４が、設計位置情報に基づいて、測長対象１２内の一直線上に並ぶ直線部分の一例としての下部シールド層の２ヵ所にほぼ垂直に電子ビームを走査し（ステップＳ１０６）、２ヵ所において電子ビームを照射することにより検出器３６から検出される２次電子の変化状況に基づいて、下部シールド層の２点を検出し、当該２点を結ぶ線と電子ビームの走査方向が平行になるように、偏向器２６による偏向の調整を行う（ステップＳ１０８）。
【００３８】
次いで、測長制御部５８は、ローカルアライメントにより検出した下部シールド層の２点を結ぶ直線から、記憶部５０に記憶された下部シールド層と書き込み磁極との下部シールド層に垂直な方向の相対位置だけずれた位置に電子ビームが照射されるように電子ビームを走査する（ステップＳ１１０）。そして、電子ビームを走査している際に、検出器３６により逐次検出される電子の変化状況に基づいて、測長対象１２の書き込み磁極に電子ビームが照射されている時間を検出し、記憶部５０に記憶されている対応関係に基づいて、当該検出した時間に対応する長さを検出する（ステップＳ１１２）。
【００３９】
図５は、本発明の１実施形態に係る電子ビーム測長装置におけるファインアライメント、測長及びフォーカス解析を説明する図である。本実施形態に係る電子ビーム測長装置によると、図５（ａ）に示すように、ファインアライメント及び測長を行う場合においては、例えば、３ヵ所において電子ビームを走査することにより、所定の測長部分の長さを検出することができる。したがって、従来に比して、測長対象１２に照射する電子ビームの量を抑えることができ、測長対象が汚染されることを適切に防ぐことができる。また、測長に係る時間を抑えることができる。
【００４０】
また、本実施形態に係る電子ビーム測長装置によると、図５（ｂ）に示すように、フォーカスを解析する場合には、測長対象１２に対する電子レンズ系１８、２４、３０の焦点位置を変えたそれぞれにおいて、測長対象１２内の所定の部分の１ヵ所に電子ビームを走査することにより、検出電子レンズ系１８、２４、３０の焦点位置を測長対象１２の位置に合わせることができる。したがって、従来に比して、測長対象１２に照射する電子ビームの量を抑えることができ、測長対象１２が汚染されることを適切に防ぐことができる。また、フォーカス解析に係る時間を抑えることができる。
【００４１】
本発明は上記の実施形態に限定されるものではなく、種々の変形が可能である。例えば、上記の実施形態では、ステージ１４をＺ軸方向に動かして測長対象１２の位置と電子レンズ系１８、２４、３０等の焦点位置との相対位置を調整するようにしていたが、本発明はこれ限られず、電子レンズ系１８、２４、３０自体のレンズ特性を調整して、測長対象の位置と、電子レンズ系１８、２４、３０等の焦点位置との相対位置を調整するようにしてもよい。また、上記実施形態では、測長対象１２の直線部分の２ヵ所を通過するように略平行に電子ビームを走査するようにして、電子ビームの測長方向を調整するようにしていたが、本発明はこれに限られず、電子ビームを測長対象１２の所定の部分の２ヵ所を通過するように走査するようにしてもよい。
【００４２】
また、上記の実施形態では、検出器３６で測長対象１２に電子ビームが照射されることにより発生する２次電子を検出し、当該２次電子量の変化状況に基づいてようにしていたが、本発明はこれに限られず、例えば、検出器３６を、測長対象１２によって電子ビームが反射した反射電子を検出するようにし、当該反射電子量の変化状況に基づいて、測長、アライメント及びフォーカスの調整を行うようにしてもよく、要は、電子ビームに起因して飛散する電子を検出するようにし、当該電子量の変化状況に基づいて、測長、アライメント及びフォーカスの調整を行えばよい。
【００４３】
以上、本発明を実施の形態を用いて説明したが、本発明の技術的範囲は上記実施の形態に記載の範囲には限定されない。上記実施の形態に、多様な変更又は改良を加えることができることが当業者に明らかである。その様な変更又は改良を加えた形態も本発明の技術的範囲に含まれ得ることが、特許請求の範囲の記載から明らかである。
【００４４】
上記説明から明らかなように、本発明によれば、測定対象が汚染されることを適切に防ぐことができる。また、本発明によれば、処理時間を短縮することができる。
【符号の説明】
【００４５】
１２  測長対象、１４  ステージ、１６  電子銃、１８  電子レンズ、２０  偏向板、２２  成形アパーチャ、２４  電子レンズ、２６  偏向器、２８  非点補正レンズ、３０  対物レンズ、３４  エネルギーフィルタ、３６  検出器、３８  アンプ、４０  Ａ／Ｄ変換器、４２  分析電圧印加部、４４  変位計、４６  ハーフミラー、４８  光学顕微鏡、５０  記憶部、５２  制御部、５４  アライメント制御部、５６  フォーカス制御部、５８  測長制御部、６０  表示制御部、６２  ステージ制御部、７０  受付部、７２  キーボード、７４  マウス、７６  表示装置
【図１】
0004505551.tif 000002
【図２】
0004505551.tif 000003
【図３】
0004505551.tif 000004
【図４】
0004505551.tif 000005
【図５】
0004505551.tif 000006